(57)【要約】【課題】  アナログブロックの歯車を確実に且つ良好に押えてアナログブロックの動作信頼性を確保できるようにする。【解決手段】  液晶表示パネル５を押える枠状部材７と地板９とによってハウジング１上に固定されてアナログブロック２を押える押え板４に、アナログブロック２の歯車１５ｂを弾力的に押える押え部２１をアナログブロック２側に向けて突出させて形成した。従って、歯車１５ｂの上面とハウジング１の上面とが同一平面に配置されず、歯車１５ｂの上面とハウジング１の上面とに段差が生じても、アナログブロック２側に突出した押え部２１で歯車１５ｂの上面を弾力的に押え付けることができる。これにより、歯車１５ｂの浮き上がりや歯車１５ｂの上下方向へのガタツキを確実に防ぐことができるので、アナログブロック２の動作信頼性を確保することができる。【選択図】        図２
2006275941.tif 000002
【特許請求の範囲】
【請求項１】
ハウジングと、このハウジング内に配置されて前記ハウジングの上面に歯車が露出するアナログブロックと、前記ハウジングの上面に配置されて前記アナログブロックを押える押え部材と、この押え部材を前記ハウジング上に固定する固定部材とを備え、
前記押え部材には、前記歯車を弾力的に押える押え部が前記アナログブロック側に突出して形成されていることを特徴とする指針式時計。
【請求項２】
前記固定部材は、前記ハウジングの上面における周囲に配置されて表示パネルを押える枠状部材と、この枠状部材を前記ハウジングに取り付ける取付部材とを備え、前記枠状部材と前記ハウジングとの間に前記押え部材の周縁部を挟んだ状態で、前記取付部材が前記枠状部材を前記ハウジングに取り付けることにより、前記押え部材を前記ハウジング上に固定することを特徴とする請求項１に記載の指針式時計。
【請求項３】
前記押え部材の前記押え部には貫通孔が前記歯車の中心部に対応して設けられ、この貫通孔の周縁部には折曲部が上方に向けて折り曲げられていることを特徴とする請求項１または２に記載の指針式時計。
【請求項４】
前記押え部材には、前記ハウジング内に配置された電池の一方の電極に接触する第１接触片と、前記ハウジングに配置された回路基板の接続電極に接触する第２接触片とが一体に形成されていることを特徴とする請求項１〜３のいずれかに記載の指針式時計。
【発明の詳細な説明】
【技術分野】
【０００１】
この発明は指針式時計に関する。
【背景技術】
【０００２】
従来、指針式時計においては、特許文献１に記載されているように、時計ケース内に配置されるハウジング内にアナログブロックが設けられ、このアナログブロックの指針軸が上方に突出し、この突出した指針軸の先端に指針が取り付けられ、この指針がハウジングの上方を運針することにより、時刻を指示するように構成されている。
【特許文献１】特開平８−２７８３７４号
【０００３】
この場合、指針は、時針、分針、秒針からなり、指針軸は、時針軸である筒車内に筒状の分針軸を回転可能に挿入し、この分針軸内に秒針軸を回転可能に挿入した構成で、筒車の筒軸に時針が取り付けられ、分針軸に分針が取り付けられ、秒針軸に秒針が取り付けられている。また、ハウジングの上面には、筒車が上方に抜け出すのを防ぐための押え板が取り付けられている。この押え板は、平坦な金属薄板からなり、その所定箇所に筒車の筒軸が挿入する貫通孔が形成され、この貫通孔の周辺部分で筒車の下部に設けられた歯車を押えるように構成されている。
【発明の開示】
【発明が解決しようとする課題】
【０００４】
しかしながら、このような従来の指針式時計では、押え板が平坦な金属薄板からなっているので、筒車の歯車の上面とハウジングの上面とが同一平面に配置されていないと、押え板とハウジングとの間または押え板と歯車との間に隙間が生じ、筒車の歯車の浮き上がりや歯車の上下方向へのガタツキを確実に規制することができなくなり、アナログブロックの動作に不具合が発生することが懸念される。
【０００５】
この発明が解決しようとする課題は、アナログブロックの歯車を確実に且つ良好に押えてアナログブロックの動作信頼性を確保することができる指針式時計を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図６に示すように、ハウジング（１）と、このハウジング内に配置されて前記ハウジングの上面に歯車（１５ｂ）が露出するアナログブロック（２）と、前記ハウジングの上面に配置されて前記アナログブロックを押える押え部材（押え板４）と、この押え部材を前記ハウジング上に固定する固定部材（枠状部材７および地板９）とを備え、
前記押え部材には、前記歯車を弾力的に押える押え部（２１）が前記アナログブロック側に突出して形成されていることを特徴とする指針式時計である。
【０００８】
請求項２に記載の発明は、図１〜図６に示すように、前記固定部材が、前記ハウジング（１）の上面における周囲に配置されて表示パネル(液晶表示パネル５)を押える枠状部材（７）と、この枠状部材を前記ハウジングに取り付ける取付部材（地板９）とを備え、前記枠状部材と前記ハウジングとの間に前記押え部材（押え板４）の周縁部を挟んだ状態で、前記取付部材が前記枠状部材を前記ハウジングに取り付けることにより、前記押え部材を前記ハウジング上に固定することを特徴とする請求項１に記載の指針式時計である。
【０００９】
請求項３に記載の発明は、図５に示すように、前記押え部材(押え板４)の前記押え部（２１）に貫通孔（１９）が前記歯車（１５ｂ）の中心部に対応して設けられ、この貫通孔の周縁部に折曲部が上方に向けて折り曲げられていることを特徴とする請求項１または２に記載の指針式時計である。
【００１０】
請求項４に記載の発明は、図６に示すように、前記押え部材(押え板４)に、前記ハウジング（１）内に配置された電池（３）の一方の電極に接触する第１接触片（３０）と、前記ハウジングに配置された回路基板（８）の接続電極に接触する第２接触片（３１）とが一体に形成されていることを特徴とする請求項１〜３のいずれかに記載の指針式時計である。
【発明の効果】
【００１１】
請求項１に記載の発明によれば、固定部材によってハウジングの上面に固定されてアナログブロックを押える押え部材に、アナログブロックの歯車を弾力的に押える押え部をアナログブロック側に突出させて形成したので、歯車の上面とハウジングの上面とが同一平面に配置されず、歯車の上面とハウジングの上面とに段差が生じても、アナログブロック側に突出した押え部で歯車の上面を弾力的に押え付けることができる。このため、歯車の浮き上がりや歯車の上下方向へのガタツキを確実に防ぐことができ、これによりアナログブロックの動作信頼性を確保することができる。
【００１２】
請求項２に記載の発明によれば、固定部材が、ハウジングの上面における周囲に配置されて表示パネルを押える枠状部材と、この枠状部材をハウジングに取り付ける取付部材とを備え、枠状部材とハウジングとの間に押え部材の周縁部を挟んだ状態で、取付部材が枠状部材をハウジングに取り付けて押え部材をハウジング上に固定することにより、押え部材をハウジングの上面に確実に固定することができる。このときには、枠状部材によって表示パネルがハウジングの上側に固定されるので、枠状部材によって表示パネルを固定するのと同時に押え部材をも固定することができ、これにより取付作業の簡素化を図ることができ、生産性の向上を図ることができる。
【００１３】
請求項３に記載の発明によれば、押え部材の押え部に貫通孔が歯車の中心部に対応して設けられ、この貫通孔の周縁部に折曲部が上方に向けて折り曲げられていることにより、押え部材に歯車を弾力的に押える押え部を一体に形成しても、この押え部の貫通孔の周縁部に形成された折曲部によって押え部を補強することができ、これにより押え部の曲げ剛性を強化することができるので、これによってもアナログブロックの動作信頼性を確保することができる。
【００１４】
請求項４に記載の発明によれば、ハウジング内に配置された電池の一方の電極に接触する第１接触片と、ハウジングに配置された回路基板の接続電極に接触する第２接触片とを押え部材に一体に形成していることにより、押え部材の第１接触片を電池の一方の電極に接触させ、第２接触片を回路基板の接続電極に接触させると、押え部材を介して電池の一方の電極と回路基板の接続電極とを電気的に接続することができる。このため、電池の一方の電極と回路基板とを電気的に接続するための専用の接続部材が不要になるので、部品点数を削減することができると共に、組立作業の簡素化をも図ることができ、これにより製造コストを削減することができる。
【発明を実施するための最良の形態】
【００１５】
（実施形態１）
以下、図１〜図４を参照して、この発明を適用した指針式時計の実施形態１について説明する。
図１はこの発明の指針式時計の時計モジュールを示した断面図、図２は図１の要部を示した拡大断面図、図３は図２のＡ部を更に拡大して示した断面図、図４は図２のＢ部を更に拡大して示した断面図である。
この指針式時計の時計モジュールは、図１および図２に示すように、合成樹脂製のハウジング１を備えている。このハウジング１は、時計ケース（図示せず）内に収納されるものであり、その内部には、アナログブロック２および電池３が配置されており、このハウジング１の上面には、アナログブロック２を押える押え板４が配置されている。
【００１６】
この押え板４の上方には、図１および図２に示すように、液晶表示パネル５がインターコネクタ６によって支持された状態で枠状部材７によって押えられている。液晶表示パネル５は、透明な一対の電極基板５ａ、５ｂ間に液晶（図示せず）を封入し、上側の電極基板の上面に上側偏光板５ｃを配置し、下側の電極基板の下面に下側偏光板５ｄを配置し、この状態で上下一対の電極基板５ａ、５ｂに電圧を選択的に印加することにより、日付や曜日などの情報を電気光学的に表示するように構成されている。枠状部材７は、合成樹脂からなり、ハウジング１の上面における周縁部に配置され、その上部に鍔部７ａが内側に突出して設けられ、この鍔部７ａで液晶表示パネル５の周縁部を上方から押えるように構成されている。
【００１７】
また、ハウジング１の下面には、図１および図２に示すように、回路基板８が配置されており、この回路基板８の下面には、地板９が配置されている。この場合、回路基板８上には、インターコネクタ６が配置されている。このインターコネクタ６は、導電性ゴムと絶縁性ゴムとを交互に配列させて形成したゼブラタイプのものであり、ハウジング１の挿入孔１ａおよび押え板４の挿入孔４ａを通して押え板４の上方に突出し、この突出した上端部に液晶表示パネル５の端部が配置され、これにより回路基板８と液晶表示パネル５とを電気的に接続するように構成されている。
【００１８】
また、地板９は、図２に示すように、金属薄板からなり、周縁部における所定箇所（図１では両側）に係合片１０が上方に向けてほぼ垂直に折り曲げられ、この係合片１０の上部に設けられた係合孔１０ａに枠状部材７の外側面に形成された係止突起部１１が挿入して係合することにより、枠状部材７をハウジング１上に押え板４を介して固定すると共に、回路基板７をハウジング１の下面に押え付けて固定するように構成されている。
【００１９】
ところで、アナログブロック２は、図１および図２に示すように、時針１２、分針１３、秒針１４を運針させて時刻を指示するものであり、水晶振動子の振動に基づいてステップモータを電気的にステップ回転させ、その回転を輪列機構（いずれも図示せず）によって筒車１５に伝達し、この筒車１５の回転に基づいて、時針軸１６、分針軸１７、および秒針軸１８を回転させることにより、時針１２、分針１３、秒針１４を運針させて時刻を指示するように構成されている。
【００２０】
この場合、筒車１５は、図２に示すように、筒軸１５ａの下部に歯車１５ｂが同一軸上に一体に形成され、歯車１５ｂがアナログブロック２の上部に配置され、筒軸１５ａがアナログブロック２の上方に突出した状態で配置されるようになっている。すなわち、筒車１５は、その歯車１５ｂの上面がハウジング１の上面と同一平面になるように配置され、筒軸１５ａが押え板４に設けられた貫通孔１９および液晶表示パネル５に設けられた貫通孔２０を通して液晶表示パネル５の上方に突出するように構成されている。この筒軸１５ａの上部には、筒状の時針軸１６が設けられており、この時針軸１６の上端部には時針１２が取り付けられている。これにより、時針１２は、液晶表示パネル５の上方を１２時間で１回転するように構成されている。
【００２１】
また、この筒軸１５ａ内には、図２に示すように、筒状の分針軸１７が上方に突出した状態で回転可能に配置されており、この上方に突出した分針軸１７の上端部には分針１３が取り付けられている。これにより、分針１３は、液晶表示パネル５および時針１２の上方を６０分で１回転するように構成されている。さらに、分針軸１７内には、秒針軸１８が上方に突出した状態で回転可能に配置されており、この上方に突出した秒針軸１８の上端部には秒針１４が取り付けられている。これにより、秒針１４は、液晶表示パネル５および分針１３の上方を１分間で１回転するように構成されている。
【００２２】
一方、ハウジング１の上面に配置された押え板４は、図２および図３に示すように、金属薄板であり、この押え板４における筒車１５の歯車１５ｂに対応する部分には、歯車１５ｂを弾力的に押える押え部２１が一体に形成されている。この押え部２１は、筒車１５の歯車１５ｂに対応する部分よりも少し広い範囲で、絞り加工によってアナログブロック２側（図３では下側）に突出して形成されている。
【００２３】
この場合、押え部２１は、その下側への突出長さｄが押え板４の板厚ｔよりも小さく形成されていることが望ましい。また、この押え板４の周縁部における所定箇所（図１では左右両側に位置する箇所）には、図４に示すように、切欠き部２２が形成されており、これに対応する枠状部材７の下面には、押え板４の切欠き部２２に挿入する凸部２３が突出して形成されている。この枠状部材７の凸部２３の突出高ｈは押え板４の板厚ｔと同じか、それよりも短く形成されていることが望ましい。
【００２４】
次に、ハウジング１上に押え板４を取り付ける場合について説明する。
予め、図１および図２に示すように、ハウジング１内にアナログブロック２と電池３とを配置すると共に、ハウジング１の下面に回路基板８を配置する。この状態で、ハウジング１の上面に押え板４を配置すると共に、この押え板４の上方にインターコネクタ６を介して液晶表示パネル５を配置する。このときには、アナログブロック２の筒車１５の筒軸１５ａが押え板４の貫通孔１９および液晶表示パネル５の貫通孔２０を通して液晶表示パネル５の上方に突出する。この後、ハウジング１の下面に配置された回路基板８の下に地板９を配置すると共に、ハウジング１上に液晶表示パネル５を押える枠状部材７を配置する。
【００２５】
このときには、押え板４の周縁部に設けられた切欠き部２２に、枠状部材７の下面に設けられた凸部２３を挿入させる。この状態で、地板９に形成された係合片１０の係合孔１０ａに枠状部材７の係止突起部１１を係合させると、枠状部材７が地板９によってハウジング１上に取り付けられる。このため、枠状部材７によって液晶表示パネル５がインターコネクタ６上に押え付けられて固定されると共に、枠状部材７が押え板４の周縁部をハウジング１上に押え付けて押え板４をハウジング１上に固定する。これにより、押え板４の押え部２１が筒車１５の歯車１５ｂの上面を弾力的に押え付ける。
【００２６】
このように、この指針式時計によれば、液晶表示パネル５の上方を時針１２、分針１３、秒針１４が運針して時刻を指示すると共に、液晶表示パネル５で日付などの情報を表示することができるほか、特にハウジング１上に配置されてアナログブロック２を押える押え板４に、アナログブロック２の筒車１５の歯車１５ｂを弾力的に押える押え部２１をアナログブロック２側に突出させて形成したので、歯車１５ｂの上面とハウジング１の上面とが同一平面に配置されず、歯車１５ｂの上面とハウジング１の上面とに段差が生じても、アナログブロック２側に突出した押え部２１で筒車１５の歯車１５ｂの上面を弾力的に押え付けることができる。このため、歯車１５ｂの浮き上がりや歯車１５ｂのガタツキを確実に防ぐことができ、これによりアナログブロック２の動作信頼性を確保することができる。
【００２７】
この場合、押え部２１は、その下側への突出長ｄが押え板４の板厚ｔよりも小さく形成されているので、余分なスペースを必要とせず、時計モジュールが厚くならないため、時計モジュール全体のコンパクト化を図ることができる。また、押え板４は、ハウジング１の上面における周囲に配置されて液晶表示パネル５を押える枠状部材７を地板９によってハウジング１上に取り付けるときに、枠状部材７が押え板４の周縁部をハウジング１上に押え付けるので、押え板４をハウジング１上に確実に固定することができる。このときには、押え板４の周縁部に設けられた切欠き部２２に枠状部材７の凸部２３が挿入するので、枠状部材７と押え板４とを所定位置に位置規制することができる。
【００２８】
特に、枠状部材７の凸部２３は、その突出高ｈが押え板４の板厚ｔと同じか、それよりも短く形成されているので、枠状部材７に凸部２３を設けても、枠状部材７によって押え板４の周縁部をハウジング１上に確実に押え付けることができる。また、枠状部材７の凸部２３は、その突出高ｈが押え板４の板厚ｔと押え部２１の下側への突出長ｄとの和よりも小さく（ｈ≦ｔ＋ｄ）形成されているので、押え板４がハウジング１上に固定されると、押え部２１が確実に歯車１５ｂの上面を弾力的に押え付けることができ、これにより、より一層、歯車１５ｂの動作信頼性を確保することができる。
【００２９】
また、このように、押え板４がハウジング１上に固定されたときには、枠状部材７が液晶表示パネル５をインターコネクタ６上に押え付けるので、枠状部材７によって液晶表示パネル５を固定するのと同時に押え板４をもハウジング１上に固定することができる。このため、押え板４の取付作業を簡素化することができ、これにより時計モジュール全体の組立作業を向上させることができるので、生産性を高めることができる。
【００３０】
（実施形態２）
次に、図５を参照して、この発明を適用した指針式時計の実施形態２について説明する。なお、図１〜図４に示された実施形態１と同一部分には同一符号を付して説明する。
この指針式時計は、押え板４の押え部２１に設けられた貫通孔１９の周縁部に折曲部２５を形成した構成で、これ以外は実施形態１と同じ構成になっている。すなわち、この押え板４の折曲部２５は、アナログブロック２の筒車１５の筒軸１５ａが挿入する貫通孔１９の周縁部を絞り加工によって上方に折り曲げた構成になっている。
【００３１】
このような指針式時計によれば、実施形態１と同様の作用効果があるほか、特に押え板４の押え部２１における貫通孔１９の周縁部に、絞り加工によって折曲部２５を上方に向けて折り曲げたので、押え板４に筒車１５の歯車１５ｂを弾力的に押える押え部２１を形成しても、この押え部２１を折曲部２５によって補強することができ、これにより押え部２１の曲げ剛性を強化することができるので、より一層、アナログブック２の動作信頼性を高めることができる。この場合、折曲部２５は、押え部２１の貫通孔１９の周縁部に絞り加工によって上方に折り曲げられているので、その製作が容易にできるばかりか、余計なスペースを必要としないため、これによっても時計モジュールのコンパクト化を図ることができる。
【００３２】
（実施形態３）
次に、図６を参照して、この発明を適用した指針式時計の実施形態３について説明する。この場合にも、図１〜図４に示された実施形態１と同一部分には同一符号を付して説明する。
この指針式時計は、電池３の負極に接触する第１接触片３０と、回路基板８の配線電極に接触する第２接触片３１とを押え板４に一体に形成した構成で、これ以外は実施形態１とほぼ同じ構成になっている。
【００３３】
すなわち、第１接触片３０は、ハウジング１内に配置された電池３に対応する箇所の押え板４を舌状にくり抜いて斜め下方に折り曲げることにより、その先端部が電池３の負極（図６では上端面に位置する電極）に弾力的に接触するように構成されている。この場合、電池３の陽極は、接続部材（図示せず）によって回路基板８と電気的に接続されている。また、第２接触片３１は、ハウジング１に上下に貫通して設けられた開口部３２に対応する箇所の押え板４を舌状にくり抜いて斜め下方に折り曲げることにより、その先端部がハウジング１の開口部３２内を通して回路基板８の上面に設けられた接続電極（図示せず）に弾力的に接触するように構成されている。
【００３４】
このような指針式時計によれば、実施形態１と同様の作用効果があるほか、特にハウジング１内に配置された電池３の負極に弾力的に接触する第１接触片３０と、ハウジング１の下面に配置された回路基板８の接続電極にハウジング１の開口部３２を通して弾力的に接触する第２接触片３１とを、押え板４に一体に形成したので、押え板４の第１接触片３０を電池３の負極に接触させ、第２接触片３１を回路基板８の接続電極に接触させると、押え板４を介して電池３の負極と回路基板８の配線電極とを電気的に接続することができる。このため、電池３の負極と回路基板８とを電気的に接続するための専用の接続部材が不要になるので、部品点数を削減することができると共に、組立作業の簡素化を図ることができ、これにより製造コストを削減することができる。
【００３５】
なお、上記実施形態１〜３では、表示パネルとして、液晶表示パネル５を用いた場合について述べたが、これに限らず、例えばＥＬ表示パネル（エレクトロ・ルミネッセンス表示パネル）などの平面型の表示パネルを用いても良い。
また、上記実施形態１〜３では、指針で時刻を指示するアナログブロック２と日付などの情報を電気光学的に表示する液晶表示パネル５とを備えたコンビネーション式の指針式時計に適用した場合について述べたが、必ずしもコンビネーション式の時計である必要はなく、指針で時刻を指示するアナログブロックのみを備えた指針式時計であっても良い。
【図面の簡単な説明】
【００３６】
【図１】この発明を適用した指針式時計の時計モジュールを示した断面図である。（実施形態１）
【図２】図１の時計モジュールの要部を示した拡大断面図である。
【図３】図２のＡ部を更に拡大して示した断面図である。
【図４】図２のＢ部を更に拡大して示した断面図である。
【図５】この発明を適用した指針式時計の時計モジュールを示した要部の拡大断面図である。（実施形態２）
【図６】この発明を適用した指針式時計の時計モジュールを示した断面図である。（実施形態３）
【符号の説明】
【００３７】
１  ハウジング
２  アナログブロック
３  電池
４  押え板
５  液晶表示パネル
６  インターコネクタ
７  枠状部材
８  回路基板
９  地板
１０  係合部
１１  係止突起部
１２  時針
１３  分針
１４  秒針
１５  筒車
１５ａ  筒軸
１５ｂ  歯車
１９  貫通孔
２１  押え部
２５  折曲部
３０  第１接触片
３１  第２接触片
【図１】
2006275941.tif 000003
【図２】
2006275941.tif 000004
【図３】
2006275941.tif 000005
【図４】
2006275941.tif 000006
【図５】
2006275941.tif 000007
【図６】
2006275941.tif 000008